(57)【要約】【課題】拡張ストレージとして設置されたＮＡＳ本体を目視で確認することなく当該ＮＡＳに異常発生したことを検知することができる施設監視装置を提供する。【解決手段】ネットワークに接続されたＮＡＳ５から、当該ネットワークを介して、ＮＡＳ５の状態を示す管理情報を収集する管理情報収集部１０１２と、管理情報収集部１０１２が収集した管理情報に基づき、ＮＡＳ５に異常が発生していることを検知する異常検知部１０３２と、異常検知部１０３２が、ＮＡＳ５に異常が発生していることを検知した場合、警報を出力させる報知制御部１０４とを備えた。【選択図】図２
2018190029.tif 000002
【特許請求の範囲】
【請求項１】
ネットワークに接続されたＮＡＳから、当該ネットワークを介して、当該ＮＡＳの状態を示す管理情報を収集する管理情報収集部と、
前記管理情報収集部が収集した管理情報に基づき、前記ＮＡＳに異常が発生していることを検知する異常検知部と、
前記異常検知部が、前記ＮＡＳに異常が発生していることを検知した場合、警報を出力させる報知制御部
とを備えた施設監視装置。
【請求項２】
前記ＮＡＳに蓄積された情報を要求するＮＡＳデータ要求情報を受け付ける操作受付部と、
前記操作受付部が前記ＮＡＳデータ要求情報を受け付けると、当該ＮＡＳデータ要求情報に基づき、前記ＮＡＳから、当該ＮＡＳに蓄積されたＮＡＳ情報を抽出するＮＡＳ情報抽出部と、
前記ＮＡＳ情報抽出部が抽出したＮＡＳ情報を表示させるＮＡＳ情報表示制御部
とを備えた請求項１記載の施設監視装置。
【請求項３】
前記管理情報は、前記ＮＡＳ自身を特定する情報と、当該ＮＡＳ情報が蓄積された日付の情報とを含み、
前記操作受付部は、前記ＮＡＳデータ要求情報として日付の情報を受け付け、
前記ＮＡＳ情報抽出部は、前記ＮＡＳデータ要求情報の日付の情報と、前記管理情報に含まれる日付の情報とに基づき、前記ＮＡＳ情報を抽出すべきＮＡＳを特定する
ことを特徴とする請求項２記載の施設監視装置。
【発明の詳細な説明】
【技術分野】
【０００１】
この発明は、ネットワークに接続された施設内の設備およびＮＡＳ（Ｎｅｔｗｏｒｋ  Ａｔｔａｃｈｅｄ  Ｓｔｏｒａｇｅ）の状態を監視する施設監視装置に関するものである。
【背景技術】
【０００２】
一般的に、装置においては、記憶部としてフラッシュメモリ等を採用しているが、当該フラッシュメモリ等ではストレージの容量が少なく、長期間のデータを装置内で保存しておくことが難しい。
そこで、従来から、ＮＡＳを利用し、装置が使用する記憶部のストレージを拡張するようにする技術が知られている。（例えば、特許文献１）
【先行技術文献】
【特許文献】
【０００３】
【特許文献１】特開２００８−３６３５３号公報
【発明の概要】
【発明が解決しようとする課題】
【０００４】
ＮＡＳ本体に故障等の異常が発生した場合、異常が発生していることは、ＮＡＳ本体のＬＥＤの点灯等によって確認することができる。
しかしながら、施設内の設備等を監視する施設監視システムにおいて、サーバの拡張ストレージとして当該ＮＡＳを設置するようにした場合は、ＮＡＳ本体が普段目につかないラック等の中に格納されることがあり、管理者等は、ＮＡＳに異常が発生していることを認識することが難しいという課題があった。
【０００５】
この発明は、上記のような課題を解決するためになされたもので、拡張ストレージとして設置されたＮＡＳ本体を目視で確認することなく当該ＮＡＳに異常発生したことを検知することができる設監視装置を提供することを目的としている。
【課題を解決するための手段】
【０００６】
この発明に係る施設監視装置は、ネットワークに接続されたＮＡＳから、当該ネットワークを介して、当該ＮＡＳの状態を示す管理情報を収集する管理情報収集部と、管理情報収集部が収集した管理情報に基づき、ＮＡＳに異常が発生していることを検知する異常検知部と、異常検知部が、ＮＡＳに異常が発生していることを検知した場合、警報を出力させる報知制御部とを備えたものである。
【発明の効果】
【０００７】
この発明によれば、拡張ストレージとして設置されたＮＡＳ本体を目視で確認することなく当該ＮＡＳに異常発生したことを検知することができる。
【図面の簡単な説明】
【０００８】
【図１】この発明の実施の形態１に係る施設監視システムの構成の一例を示す図である。
【図２】この発明の実施の形態１に係る施設監視装置の構成の一例を示す図である。
【図３】この実施の形態１の施設監視装置において、監視ポイントまたはＮＡＳに異常が発生したことをユーザに報知する動作の一例を説明するフローチャートである。
【図４】この実施の形態１において、確認画面表示制御部が表示部に表示させる監視ポイント確認画面の一例を示す図である。
【図５】実施の形態１において、ユーザの指示に基づき、表示制御部が、監視ポイントデータ、または、ＮＡＳに蓄積された情報を表示させる動作を説明するフローチャートである。
【発明を実施するための形態】
【０００９】
以下、この発明の実施の形態について図面を参照しながら詳細に説明する。
実施の形態１．
図１は、この発明の実施の形態１に係る施設監視装置１を備えた施設監視システムの構成の一例を示す図である。
施設監視システムは、図１に示すように、施設内に設置された１つ以上の設備４−１，４−２，４−３，・・・が接続された１台以上のコントローラ３−１，３−２，３−３，・・・と、当該コントローラ３−１，３−２，３−３，・・・が接続された施設監視装置１と、ＮＡＳ５−１，５−２，５−３とが、ネットワークを介して接続されることで構成される。なお、この実施の形態１では、１台以上のコントローラ３−１，３−２，３−３，・・・を、まとめてコントローラ３というものとする。また、この実施の形態１では、１つ以上の設備４−１，４−２，４−３，・・・を、まとめて設備４というものとする。また、ＮＡＳ５−１，５−２，５−３を、まとめてＮＡＳ５というものとする。
施設監視装置１と、コントローラ３と、ＮＡＳ５とは、例えば、ＢＡＣｎｅｔ（Ｂｕｌｉｄｉｎｇ  Ａｕｔｏｍａｔｉｏｎ  ａｎｄ  Ｃｏｎｔｒｏｌ  ｎｅｔｗｏｒｋ）等のオープンネットワークで接続される。なお、施設監視装置１は、ソフトウェアに基づくＣＰＵを用いたプログラム処理によって実行される。
【００１０】
コントローラ３は、施設内の設備４から、当該設備に関するデータを収集する。例えば、センサ、温度計、電力計等の設備４に設置された機器等から当該機器が取得する温度、湿度、電力量等のデータを収集する。この実施の形態１では、設備４、または、設備４に設置された機器等を監視ポイント（図１においては図示省略）といい、当該監視ポイントから収集されるデータ、すなわち、監視ポイントの値を、監視ポイントデータという。
なお、コントローラ３による監視ポイントデータの収集周期は常時としてもよいし、予め設定された収集周期としてもよく、適宜設定可能である。この実施の形態１では、一例として、コントローラ３は、予め設定された収集周期で監視ポイントデータを収集するものとする。
【００１１】
施設監視装置１は、コントローラ３との間で、予め設定された監視周期で通信を行い、コントローラ３から監視ポイントの監視ポイントデータを収集し、収集した監視ポイントデータに基づく設備４の監視制御を行う。また、施設監視装置１は、ＮＡＳ５から管理情報を収集し、収集した管理情報に基づき、ＮＡＳ５の監視制御を行う。
なお、施設監視装置１によるＮＡＳ５の管理情報の収集周期は常時としてもよいし、予め設定された収集周期としてもよく、適宜設定可能である。この実施の形態１では、一例として、施設監視装置１は、予め設定された収集周期で管理情報を収集するものとする。
ＮＡＳ５は、施設監視システムにおけるサーバ（図示省略）の拡張ストレージとして、施設監視システムに備えられる。ＮＡＳ５は、ネットワークに直接接続して使用するファイルサーバであって、大容量または長期間のデータ蓄積が可能である。
なお、図１では、ＮＡＳ５は、３台接続されるものとしているが、これは一例に過ぎず、ＮＡＳ５は、適宜設置可能である。１台目のＮＡＳ５の空容量がなくなった場合に、２台目以降のＮＡＳ５を設置することで、ストレージ領域は、限界なく拡張することができる。
【００１２】
図２は、この発明の実施の形態１に係る施設監視装置１の構成の一例を示す図である。
図２に示すように、施設監視装置１は、収集部１０１と、記憶部１０２と、判定部１０３と、報知制御部１０４と、表示制御部１０５と、音声出力部１０６と、操作受付部１０７と、抽出部１０８と、表示部１０９とを備える。
収集部１０１は、監視ポイントデータ収集部１０１１と、管理情報収集部１０１２とを備える。
記憶部１０２は、監視ポイントデータ記憶部１０２１と、管理情報記憶部１０２２とを備える。
判定部１０３は、監視ポイントデータ判定部１０３１と、異常検知部１０３２とを備える。
表示制御部１０５は、確認画面表示制御部１０５１と、状態表示制御部１０５２と、ＮＡＳ情報表示制御部１０５３とを備える。
抽出部１０８は、監視ポイントデータ抽出部１０８１と、ＮＡＳ情報抽出部１０８２とを備える。
【００１３】
収集部１０１の監視ポイントデータ収集部１０１１は、予め設定された監視ポイントデータ収集周期になると、コントローラ３から、コントローラ３が収集した監視ポイントの監視ポイントデータを収集し、収集した監視ポイントデータを、監視ポイント毎に、監視ポイントデータの取得日時と紐付けて記憶部１０２の監視ポイントデータ記憶部１０２１に記憶させる。監視ポイントデータ収集部１０１１は、コントローラ３から、収集日時が紐付けられた状態で監視ポイントデータを収集するようにすればよい。
監視ポイントデータ収集部１０１１は、コントローラ３から監視ポイントデータを収集すると、収集した監視ポイントデータを、判定部１０３の監視ポイントデータ判定部１０３１に出力する。
【００１４】
収集部１０１の管理情報収集部１０１２は、予め設定された管理情報収集周期になると、ネットワークを介して、ＮＡＳ５から、当該ＮＡＳ５が有する管理情報を収集し、収集した管理情報を、ＮＡＳ５毎に、管理情報の収集日時と紐付けて記憶部１０２の管理情報記憶部１０２２に記憶させる。
ＮＡＳ５は、例えば名称またはＩＤ等、自身を特定する情報と、蓄積しているデータを蓄積した日付の情報と、自身の状態情報とを紐付けた管理情報を有し、当該管理情報が、蓄積するデータに付与されている。自身の状態情報とは、例えば、通信状態、容量、ディスク異常等の異常発生状態等を示す情報である。
また、管理情報収集部１０１２は、収集した、ＮＡＳ５が有する管理情報を、判定部１０３の異常検知部１０３２に出力する。
【００１５】
記憶部１０２の監視ポイントデータ記憶部１０２１は、監視ポイント毎に、監視ポイントデータ収集部１０１１が収集した監視ポイントの監視ポイントデータを、収集日時と紐付けて記憶する。
なお、この実施の形態１では、監視ポイントデータ記憶部１０２１は、施設監視装置１が備えるものとしているが、これに限らず、監視ポイントデータ記憶部１０２１は、施設監視装置１の外部の、施設監視装置１がアクセス可能な場所に備えられるものであってもよい。
【００１６】
記憶部１０２の管理情報記憶部１０２２は、ＮＡＳ５毎に、管理情報収集部１０１２が収集したＮＡＳ５の管理情報を、収集日時と紐付けて記憶する。
なお、この実施の形態１では、管理情報記憶部１０２２は、施設監視装置１が備えるものとしているが、これに限らず、管理情報記憶部１０２２は、施設監視装置１の外部の、施設監視装置１がアクセス可能な場所に備えられるものであってもよい。
【００１７】
判定部１０３の監視ポイントデータ判定部１０３１は、監視ポイントデータ収集部１０１１から出力された監視ポイントデータに基づき、監視ポイント毎に、監視ポイントに異常が発生しているかどうかを判定する。
監視ポイントデータ判定部１０３１は、監視ポイントに異常が発生していると判定した場合、監視ポイントに異常が発生している旨の情報を、報知制御部１０４および表示制御部１０５に出力する。監視ポイントデータ判定部１０３１は、表示制御部１０５には、異常が発生していると判定した監視ポイントの監視ポイントデータの情報についても出力する。
【００１８】
判定部１０３の異常検知部１０３２は、管理情報収集部１０１２が収集した管理情報に基づき、ＮＡＳ５毎に、ＮＡＳ５に異常が発生していることを検知する。
異常検知部１０３２は、ＮＡＳ５に異常が発生していることを検知した場合、ＮＡＳ５に異常が発生している旨の情報を、異常発生通知として、報知制御部１０４に出力する。
【００１９】
報知制御部１０４は、判定部１０３の監視ポイントデータ判定部１０３１から、監視ポイントに異常が発生している旨の情報が出力されると、音声出力部１０６に対して、警報を出力させる。また、報知制御部１０４は、判定部１０３の異常検知部１０３２から、異常発生通知を取得すると、音声出力部１０６に対して、警報を出力させる。
【００２０】
表示制御部１０５は、各種情報を、表示部１０９に表示させる。
表示制御部１０５の確認画面表示制御部１０５１は、判定部１０３の監視ポイントデータ判定部１０３１から、監視ポイントに異常が発生している旨の情報が出力されると、表示部１０９に対して、監視ポイント確認画面を表示させる。当該監視ポイント確認画面の詳細については後述する。
表示制御部１０５の状態表示制御部１０５２は、抽出部１０８の監視ポイントデータ抽出部１０８１（後述する）から出力された監視ポイントデータに関する情報を、状態情報として表示部１０９に表示させる。
また、表示制御部１０５のＮＡＳ情報表示制御部１０５３は、抽出部１０８のＮＡＳ情報抽出部１０８２（後述する）から出力されたＮＡＳ情報を、表示部１０９に表示させる。
【００２１】
音声出力部１０６は、例えば、スピーカ等の音声出力装置であり、報知制御部１０４の制御に基づき、警報を出力する。
なお、この実施の形態１では、音声出力部１０６は、施設監視装置１が備えるものとしているが、これに限らず、音声出力部１０６は施設監視装置１の外部に備えられるようにしてもよい。
【００２２】
操作受付部１０７は、管理者等のユーザからの指示を受け付ける。ユーザは、例えば、マウス、または、キーボード等の入力装置（図示省略）を操作し、所望の指示を入力する。
操作受付部１０７は、ユーザから、監視ポイントデータを表示させる旨の指示を受け付けた場合、当該指示に関する監視ポイントデータ抽出指示情報を、抽出部１０８の監視ポイントデータ抽出部１０８１に出力する。また、操作受付部１０７は、ユーザから、ＮＡＳ５の情報を表示させる旨の指示を受け付けた場合、当該指示に関するＮＡＳデータ要求情報を、抽出部１０８のＮＡＳ情報抽出部１０８２に出力する。
【００２３】
抽出部１０８の監視ポイントデータ抽出部１０８１は、操作受付部１０７から監視ポイントデータ抽出指示情報が出力された場合、監視ポイントデータ記憶部１０２１から、該当の監視ポイントデータを抽出する。
監視ポイントデータ抽出部１０８１は、抽出した監視ポイントデータを、表示制御部１０５に出力する。
【００２４】
抽出部１０８のＮＡＳ情報抽出部１０８２は、操作受付部１０７からＮＡＳデータ要求情報が出力されると、当該ＮＡＳデータ要求情報に対応する、ＮＡＳ５の蓄積情報を、該当のＮＡＳ５から、ＮＡＳ情報として抽出する。情報抽出部２０６は、抽出したＮＡＳ情報を、表示制御部１０５に出力する。
【００２５】
表示部１０９は、例えば、ディスプレイ等の表示装置であり、表示制御部１０５の制御に基づき、各種情報を表示する。
なお、この実施の形態１では、表示部１０９は、施設監視装置１が備えるものとしているが、これに限らず、表示部１０９は施設監視装置１の外部に備えられるようにしてもよい。
【００２６】
次に、この発明の実施の形態１に係る施設監視装置１の動作について説明する。
図３は、この実施の形態１の施設監視装置１において、監視ポイントまたはＮＡＳ５に異常が発生したことをユーザに報知する動作の一例を説明するフローチャートである。
収集部１０１の監視ポイントデータ収集部１０１１は、予め設定された、監視ポイントデータ収集周期になったかどうかを判定する（ステップＳＴ４０１）。
ステップＳＴ４０１において、予め設定された監視ポイントデータ収集周期になると（ステップＳＴ４０１の“ＹＥＳ”の場合）、監視ポイントデータ収集部１０１１は、コントローラ３が収集した監視ポイントの監視ポイントデータを収集し、収集した監視ポイントデータを、監視ポイント毎に、監視ポイントデータの取得日時と紐付けて、記憶部１０２の監視ポイントデータ記憶部１０２１に記憶させる（ステップＳＴ４０２）。
また、監視ポイントデータ収集部１０１１は、収集した監視ポイントデータを、取得日時を紐付けて、判定部１０３に出力する。
そして、ステップＳＴ４０３の処理に進む。
【００２７】
ステップＳＴ４０１において、予め設定された監視ポイントデータ収集周期になっていない場合（ステップＳＴ４０１の“ＮＯ”の場合）、収集部１０１の管理情報収集部１０１２は、予め設定された、管理情報収集周期になったかどうかを判定する（ステップＳＴ４０６）。
ステップＳＴ４０６において、予め設定された管理情報収集周期になっていない場合（ステップＳＴ４０６の“ＮＯ”の場合）、処理終了する。
ステップＳＴ４０６において、予め設定された管理情報収集周期になった場合（ステップＳＴ４０６の“ＹＥＳ”の場合）、管理情報収集部１０１２は、ＮＡＳ５から、管理情報を収集し、収集した管理情報を、ＮＡＳ５毎に、管理情報の収集日時と紐付けて記憶部１０２の管理情報記憶部１０２２に記憶させる（ステップＳＴ４０７）。
また、管理情報収集部１０１２は、収集した管理情報を、収集日時と紐付けて、判定部１０３に出力する。
そして、ステップＳＴ４０３の処理に進む。
【００２８】
判定部１０３は、ステップＳＴ４０２において監視ポイントデータ収集部１０１１から出力された監視ポイントデータ、または、ステップＳＴ４０７において管理情報収集部１０１２から出力された管理情報を取得すると、当該監視ポイントデータ、または、管理情報に基づき、監視ポイント、または、ＮＡＳに異常が発生しているかどうかを判定する（ステップＳＴ４０３）。
【００２９】
ステップＳＴ４０３における判定部１０３の動作について詳細に説明する。
判定部１０３の監視ポイントデータ判定部１０３１は、監視ポイントデータ収集部１０１１から出力された監視ポイントデータに基づき、監視ポイント毎に、監視ポイントに異常が発生しているかどうかを判定する。具体的には、例えば、予めユーザが監視ポイントデータ毎に上限値および下限値を設定しておくようにし、監視ポイントデータ判定部１０３１は、監視ポイントデータと予め設定された上限値および下限値とを比較し、監視ポイントデータが予め設定された上限値または下限値から逸脱した場合に、監視ポイントに異常が発生していると判定する。なお、これは一例に過ぎず、監視ポイントデータ判定部１０３１が、監視ポイントに異常が発生しているかどうかを判定するための条件は、適宜設定可能である。例えば、監視ポイントデータ判定部１０３１は、監視ポイントデータ記憶部１０２１を参照し、ステップＳＴ４０２において収集した監視ポイントデータと、当該監視ポイントデータの直近に収集し記憶させておいた監視ポイントデータとを比較し、予め設定された閾値以上の差がある場合に、監視ポイントに異常が発生していると判定するようにしてもよい。
【００３０】
また、判定部１０３の異常検知部１０３２は、管理情報収集部１０１２から出力された管理情報に基づき、ＮＡＳ５毎に、ＮＡＳ５に異常が発生していることが検知されたかどうかを判定する。具体的には、例えば、異常検知部１０３２は、管理情報に含まれる、通信状態、容量、ディスク異常等の異常発生状態等を示す状態情報が、異常を示していれば、ＮＡＳ５に異常が発生していることが検知されたと判定する。
【００３１】
図３のフローチャートに戻る。
ステップＳＴ４０３において、ステップＳＴ４０２で収集した監視ポイントデータ、または、ステップＳＴ４０７で収集した管理情報について判定を行った結果、いずれの監視ポイントにも異常が発生しておらず、かつ、いずれのＮＡＳ５にも異常が発生していないと判定した場合（ステップＳＴ４０３の“ＮＯ”の場合）、ステップＳＴ４０１に戻る。
【００３２】
ステップＳＴ４０３において、ステップＳＴ４０２で収集した監視ポイントデータ、または、ステップＳＴ４０７で収集した管理情報について判定を行った結果、異常が発生している監視ポイント、または、ＮＡＳ５があると判定した場合（ステップＳＴ４０３の“ＹＥＳ”の場合）、判定部１０３は、監視ポイント、または、ＮＡＳ５に異常が発生している旨の情報を、報知制御部１０４および表示制御部１０５に出力する。
【００３３】
具体的には、ステップＳＴ４０３において、監視ポイントデータ判定部１０３１が、異常が発生している監視ポイントがあると判定した場合、監視ポイントデータ判定部１０３１は、監視ポイントに異常が発生している旨の情報を、報知制御部１０４および表示制御部１０５に出力する。このとき、監視ポイントデータ判定部１０３１は、表示制御部１０５には、異常が発生していると判定した監視ポイントの監視ポイントデータの情報についても、出力する。
【００３４】
また、ステップＳＴ４０３において、異常検知部１０３２が、ＮＡＳ５に異常が発生していることを検知した場合、異常検知部１０３２は、ＮＡＳ５に異常が発生している旨の情報を、異常発生通知として、施設監視装置１の報知制御部１０４に出力する。
なお、異常検知部１０３２が出力する異常発生通知には、少なくとも、異常検知部１０３２が異常発生を検知したＮＡＳ５の名称またはＩＤ等、ＮＡＳ５を特定するための情報と、異常発生日時の情報とが含まれる。異常発生日時の情報は、管理情報に含まれるものとしてもよいし、異常検知部１０３２が異常発生を検知した日時の情報を異常発生日時の情報としてもよい。
【００３５】
図３のフローチャートに戻る。
報知制御部１０４は、ステップＳＴ４０３において、判定部１０３から、監視ポイントに異常が発生している旨の情報、または、ＮＡＳ５の異常発生通知が出力されると、音声出力部１０６に対して、警報を出力させる（ステップＳＴ４０４）。具体的には、監視ポイントデータ判定部１０３１から、監視ポイントに異常が発生している旨の情報が出力されると、または、異常検知部１０３２から、ＮＡＳ５の異常発生通知が出力されると、報知制御部１０４は、音声出力部１０６に対して、警報を出力させる。
そして、音声出力部１０６は、警報を出力する。音声出力部１０６が出力する警報とは、例えば、警報音、プリンタ印字擬似音、または、音声メッセージ等であり、監視ポイントに異常が発生していることをユーザに通知することができるものであればよい。なお、この実施の形態１では、報知制御部１０４は、監視ポイントデータ判定部１０３１から、監視ポイントに異常が発生している旨の情報が出力されると、音声出力部１０６に対して警報を出力させるものとするが、これに限らず、例えば、報知制御部１０４は、表示部１０９に対して、監視ポイントに異常が発生している旨のメッセージを表示させるようにしてもよいし、警告灯（図示省略）を、点灯または点滅させるようにしてもよい。
【００３６】
また、報知制御部１０４は、異常検知部１０３２から、ＮＡＳ５の異常発生通知が出力されると、音声出力部１０６に対して警報を出力させるものとするが、これに限らず、例えば、報知制御部１０４は、表示部１０９に対して、ＮＡＳ５に異常が発生している旨のメッセージを表示させるようにしてもよいし、警告灯（図示省略）を、点灯または点滅させるようにしてもよい。
【００３７】
表示制御部１０５の確認画面表示制御部１０５１は、ステップＳＴ４０３において、監視ポイントデータ判定部１０３１から、監視ポイントに異常が発生している旨の情報が出力されると、表示部１０９に対して、監視ポイント確認画面を表示させる（ステップＳＴ４０５）。
【００３８】
ここで、図４は、この実施の形態１において、確認画面表示制御部１０５１が表示部１０９に表示させる監視ポイント確認画面の一例を示す図である。
確認画面表示制御部１０５１は、例えば、図４に示すように、監視ポイントの異常発生日時、発生場所（監視ポイント名あるいは監視ポイントデータ名）、および、警報の種類を表示する監視ポイント確認画面を表示させる。また、確認画面表示制御部１０５１は、監視ポイント確認画面に、異常が発生していると判定された監視ポイントの詳細を表示させるための確認ボタン５１を表示させてもよい。
なお、図４に示すような監視ポイント確認画面は一例に過ぎず、図４に示す情報以外の情報が表示されるようになっていてもよい。
【００３９】
また、以上の説明では、ステップＳＴ４０５において、表示制御部１０５の確認画面表示制御部１０５１は、監視ポイント確認画面を表示させるようにしたが、これに限らず、確認画面表示制御部１０５１は、ＮＡＳ確認画面（図示省略）を表示させるようにしてもよい。具体的には、表示制御部１０５は、ステップＳＴ４０３において、異常検知部１０３２から、ＮＡＳ５に異常が発生している旨の情報が出力されると、表示部１０９に対して、ＮＡＳ確認画面を表示させるようにしてもよい。ＮＡＳ確認画面には、例えば、ＮＡＳ５の異常発生日時、異常が発生しているＮＡＳ５の名称またはＩＤ等の情報が表示される。
【００４０】
このように、この実施の形態１に係る施設監視装置１は、施設内の各監視ポイントの状態を監視し、施設内の各監視ポイントに異常が発生した場合には警報を発報するのと同様に、ネットワークに接続されているＮＡＳ５に異常が発生した場合には、当該異常発生を検知し、警報を発報する。すなわち、この実施の形態１では、施設監視装置１は、施設内の各監視ポイントだけでなく、ＮＡＳ５についても監視対象とする。
【００４１】
これにより、ＮＡＳ５本体が普段目につかない場所に格納されるような場合であっても、ユーザに対して、ＮＡＳ５に異常が発生していることを早期に通知することができる。
また、ＮＡＳ５を監視するためにＮＡＳ専用の監視ソフト等を使用する必要がない。なお、ＮＡＳ専用の監視ソフトによるＮＡＳ５に対するアクセス経路と、施設監視システムにおける施設監視装置１からＮＡＳ５に対するアクセス経路とは異なるため、ＮＡＳ専用の監視ソフトでＮＡＳ５の状態が「正常」と判定される場合であっても、施設監視装置１からＮＡＳ５に正常にアクセスできるとは限らない。この実施の形態１では、施設監視装置１で、ＮＡＳ５の異常発生を検知するので、ＮＡＳ５が実際に設置されている施設監視システムにおいて、実務に適応させて、ＮＡＳ５が正常かどうかを判断することができる。
また、施設監視装置１の製品寿命は１０年を超える一方、ＮＡＳ５は、早いものは１年程度で製品が変わってしまう。しかしながら、ＮＡＳ５の機種等が変わっても、監視ツールを変更する必要がない。
【００４２】
また、実施の形態１に係る施設監視装置１において、ユーザは、監視ポイントの状態を表示させて確認する、あるいは、過去の履歴等、ネットワークに接続されたＮＡＳ５に蓄積された情報を表示させて確認することができる。具体的には、ユーザは、例えば、施設監視装置１から、所望の監視ポイントの状態を表示させる旨の指示を行い、表示部１０９に、指示した監視ポイントの状態、すなわち、監視ポイントデータを表示させることができる。また、ユーザは、例えば、施設監視装置１から、過去の履歴等、ネットワークに接続されたＮＡＳ５に蓄積された情報を表示させる指示を行い、表示部１０９に、所望のＮＡＳ５に蓄積された情報を表示させることができる。以下、詳細に説明する。
【００４３】
図５は、実施の形態１において、ユーザの指示に基づき、表示制御部１０５が、監視ポイントデータ、または、ＮＡＳ５に蓄積された情報を表示させる動作を説明するフローチャートである。
操作受付部１０７は、ユーザから、監視ポイントの状態を表示させる旨の指示を受け付けたかどうかを判定する（ステップＳＴ５０１）。
【００４４】
例えば、ユーザは、監視ポイント指示画面を呼び出し、入力装置を操作して、確認したい所望の監視ポイントデータを表示させる旨の指示を入力する。監視ポイント指示画面は、例えば、ユーザが表示部１０９に表示された呼び出しボタンをクリックする等し、操作受付部１０７が、当該操作を受け付けると、表示制御部１０５が表示させるようにすればよい。また、例えば、ユーザは、警報を検知すると、監視ポイント確認画面（図４参照）を呼び出し、当該監視ポイント確認画面より、例えば、マウスまたはキーボード等の入力装置を操作して、確認ボタン５１をクリック等することで、異常が発生していると判定された監視ポイントの状態、すなわち、監視ポイントデータを表示させる旨の指示を入力するようにしてもよい。
【００４５】
ステップＳＴ５０１において、ユーザから、監視ポイントの状態を表示させる旨の指示を受け付けていない場合（ステップＳＴ５０１の”ＮＯ”の場合）、ステップＳＴ５０４に進む。操作受付部１０７は、予め設定された一定時間、ユーザからの指示入力の受け付けを待機し、予め設定された一定時間を超過しても、ユーザからの指示を受け付けない場合に、ステップＳＴ５０４に進むようにしてもよい。
【００４６】
ステップＳＴ５０１において、ユーザから、監視ポイントの状態を表示させる旨の指示を受け付けた場合（ステップＳＴ５０１の”ＹＥＳ”の場合）、操作受付部１０７は、当該指示に関する監視ポイントデータ抽出指示情報を、抽出部１０８の監視ポイントデータ抽出部１０８１に出力する。
【００４７】
監視ポイントデータ抽出部１０８１は、ステップＳＴ５０１において、操作受付部１０７から、監視ポイントデータ抽出指示情報が出力されると、監視ポイントデータ記憶部１０２１から、監視ポイントデータ抽出指示情報に基づく監視ポイントデータを抽出する（ステップＳＴ５０２）。具体的には、例えば、監視ポイントデータ抽出部１０８１は、監視ポイントデータ抽出指示情報で示される監視ポイントデータと、当該監視ポイントデータが収集された前後の、予め設定された一定期間の監視ポイントデータを、監視ポイントデータ記憶部１０２１から抽出する。操作受付部１０７は、監視ポイントデータ抽出指示情報に、該当の監視ポイントデータおよび当該監視ポイントデータの収集日時の情報を含むようにし、監視ポイントデータ抽出部１０８１は、監視ポイントデータ抽出指示情報から、監視ポイントデータと収集日時とを特定すればよい。また、監視ポイントデータ抽出部１０８１は、監視ポイントデータ抽出指示情報で示される監視ポイントデータが収集された前後の、予め設定された一定期間の監視ポイントデータは、監視ポイントデータに紐付けて記憶されている収集日時の情報から特定すればよい。
なお、ここでは、監視ポイントデータ抽出部１０８１は、監視ポイントデータ抽出指示情報で示される監視ポイントデータが収集された前後の、予め設定された一定期間の監視ポイントデータを抽出するものとするが、監視ポイントデータ抽出部１０８１が監視ポイントデータ記憶部１０２１から抽出する監視ポイントデータの抽出条件は、適宜設定可能である。
監視ポイントデータ抽出部１０８１は、抽出した監視ポイントデータを、表示制御部１０５に出力する。
そして、ステップＳＴ５０３に進む。
【００４８】
一方、ステップＳＴ５０１において、ユーザから、監視ポイントの状態を表示させる旨の指示を受け付けていない場合（ステップＳＴ５０１の”ＮＯ”の場合）、操作受付部１０７は、ユーザから、ＮＡＳ５に蓄積された情報を表示させる旨の指示を受け付けたかどうかを判定する（ステップＳＴ５０４）。
ユーザは、例えば、表示部１０９に表示されているＮＡＳ情報呼び出しボタン等を入力装置で操作することで、ＮＡＳ５に蓄積された情報を表示させる旨の指示を入力する。操作受付部１０７は、当該ＮＡＳ情報呼び出しボタン等が操作されたことによって、ＮＡＳ５に蓄積された情報を表示させる旨の指示を受け付ける。
なお、ユーザは、この際、表示させたい情報が蓄積された日付の情報の指定を行う。ユーザは、例えば、過去の履歴データを参照する場合等、ＮＡＳ５に蓄積されたデータを参照したい場合は、必ず日付をキーにする。
ステップＳＴ５０４において、ＮＡＳ５に蓄積された情報を表示させる旨の指示を受け付けていない場合（ステップＳＴ５０４の“ＮＯ”の場合）、処理終了する。操作受付部１０７は、予め設定された一定時間、ユーザからの指示入力の受け付けを待機し、予め設定された一定時間を超過しても、ユーザからの指示を受け付けない場合に、処理終了するようにしてもよい。
ステップＳＴ５０４において、ＮＡＳ５に蓄積された情報を表示させる旨の指示を受け付けた場合（ステップＳＴ５０４の“ＹＥＳ”の場合）、操作受付部１０７は、ユーザが入力した日付の情報を、ＮＡＳデータ要求情報として受け付け、抽出部１０８のＮＡＳ情報抽出部１０８２に出力する。
【００４９】
ＮＡＳ情報抽出部１０８２は、ステップＳＴ５０４において、操作受付部１０７から、ＮＡＳ情報要求情報が出力されると、当該ＮＡＳ情報要求情報に対応する、ＮＡＳ５に蓄積された情報を、該当のＮＡＳ５から、ＮＡＳ情報として抽出する（ステップＳＴ５０５）。上述のとおり、ＮＡＳデータ要求情報には、表示させたい情報が蓄積された日付の情報が含まれる。また、上述のとおり、ＮＡＳ５では、例えば名称またはＩＤ等、自身を特定する情報と、蓄積しているデータを蓄積した日付の情報と、自身の状態情報とを紐付けた管理情報を有し、管理情報収集部１０１２は当該管理情報を収集し、管理情報記憶部１０２２に記憶させている。
ＮＡＳ情報抽出部１０８２は、ＮＡＳデータ要求情報と管理情報記憶部１０２２が記憶している管理情報とに基づき、ＮＡＳデータ要求情報で指定された、蓄積情報を表示させる日付のデータは、どのＮＡＳ５に蓄積されているかを、日付の情報をキーにしてたどることができる。
ＮＡＳ情報抽出部１０８２は、抽出したＮＡＳ情報を、表示制御部１０５に出力する。
そして、ステップＳＴ５０３に進む。
【００５０】
表示制御部１０５は、監視ポイントデータに関する情報を状態情報として表示部１０９に表示させる。または、表示制御部１０５は、ＮＡＳ情報を、表示部１０９に表示させる（ステップＳＴ５０３）。
具体的には、表示制御部１０５の状態表示制御部１０５２は、ステップＳＴ５０２において、監視ポイントデータ抽出部１０８１から監視ポイントデータに関する情報が出力されると、当該出力された監視ポイントデータを、状態情報として表示部１０９に表示させる。
また、表示制御部１０５のＮＡＳ情報表示制御部１０５３は、ステップＳＴ５０２において、ＮＡＳ情報抽出部１０８２からＮＡＳ情報が出力されると、当該出力されたＮＡＳ情報を、表示部１０９に表示させる。
【００５１】
このように、ユーザは、施設監視装置１から、参照したいデータが蓄積された日付を指定することで、所望する、ＮＡＳ５に蓄積されたデータを参照することができる。通常、ＮＡＳ５の取り扱いにはある程度の専門知識が必要となるが、この実施の形態１では、上述のとおり、ユーザは、施設監視装置１から、ＮＡＳ５のデータを要求し、表示させることが可能となるため、簡単に、ＮＡＳ５に蓄積されたデータを参照することができる。
【００５２】
以上のように、実施の形態１によれば、施設監視装置１は、ネットワークに接続されたＮＡＳ５から、当該ネットワークを介して、ＮＡＳ５の状態を示す管理情報を収集する管理情報収集部１０１２と、管理情報収集部１０１２が収集した管理情報に基づき、ＮＡＳ５に異常が発生していることを検知する異常検知部１０３２と、異常検知部１０３２が、ＮＡＳ５に異常が発生していることを検知した場合、警報を出力させる報知制御部１０４とを備えるようにした。そのため、拡張ストレージとして設置されたＮＡＳ５本体を目視で確認することなく、当該ＮＡＳ５に異常発生したことを検知することができる。
【００５３】
また、実施の形態１によれば、施設監視装置１は、ＮＡＳ５に蓄積された情報を要求するＮＡＳデータ要求情報を受け付ける操作受付部１０７と、操作受付部１０７がＮＡＳデータ要求情報を受け付けると、ＮＡＳデータ要求情報に基づき、ＮＡＳ５から、当該ＮＡＳ５に蓄積されたＮＡＳ情報を抽出するＮＡＳ情報抽出部１０８２と、ＮＡＳ情報抽出部１０８２が抽出したＮＡＳ情報を表示させるＮＡＳ情報表示制御部１０５３とを備えるようにした。そのため、ユーザは、簡単に、ＮＡＳ５に蓄積されたデータを参照することができる。
【００５４】
また、実施の形態１によれば、管理情報は、ＮＡＳ５自身を特定する情報と、ＮＡＳ情報が蓄積された日付の情報とを含み、操作受付部１０７は、ＮＡＳデータ要求情報として日付の情報を受け付け、ＮＡＳ情報抽出部１０８２は、ＮＡＳデータ要求情報の日付の情報と、管理情報に含まれる日付の情報とに基づき、ＮＡＳ情報を抽出すべきＮＡＳ５を特定して、当該ＮＡＳ５からＮＡＳ情報を抽出する。そのため、ＮＡＳ５が複数設置されているような場合であっても、ユーザは、日付を指定するだけで、所望のデータがどのＮＡＳに存在するのかを意識することなく、所望のデータを参照することができる。
【００５５】
なお、本願発明はその発明の範囲内において、実施の形態の任意の構成要素の変形、もしくは実施の形態の任意の構成要素の省略が可能である。
【符号の説明】
【００５６】
１  施設監視装置
３  コントローラ
４  設備
５  ＮＡＳ
５１  確認ボタン
１０１  収集部
１０２  記憶部
１０３  判定部
１０４  報知制御部
１０５  表示制御部
１０６  音声出力部
１０７  操作受付部
１０８  抽出部
１０９  表示部
１０１１  監視ポイントデータ収集部
１０１２  管理情報収集部
１０２１  監視ポイントデータ記憶部
１０２２  管理情報記憶部
１０３１  監視ポイントデータ判定部
１０３２  異常検知部
１０５１  確認画面表示制御部
１０５２  状態表示制御部
１０５３  ＮＡＳ情報表示制御部
１０８１  監視ポイントデータ抽出部
１０８２  ＮＡＳ情報抽出部
【図１】
2018190029.tif 000003
【図２】
2018190029.tif 000004
【図３】
2018190029.tif 000005
【図４】
2018190029.tif 000006
【図５】
2018190029.tif 000007